(57)【要約】【課題】流し読み用ガラスの読み取り面の異物を目視で見つけやすくする。【解決手段】導光部材２０８は、リーダ外装部２０５と流し読み用ガラス２０７との隙間において上下に貫通して配設される。ゴミ表示ポジションに移動した読み取りユニット２０１の第１の露光部２０２内のＬＥＤ２２２から発する拡散光は、露光用導光部材２２３を介して出光部２２３ｂから出射され、導光部材２０８の入光部２１２に入光する。導光部材２０８の出射部２１３は、流し読み用ガラス２０７の読み取り面２０７ａと略同一平面上に位置する。入光部２１２から入光した光束はプリズム部２２５で反射し、出射部２１３から、流し読み用ガラス２０７の読み取り面２０７ａへ、読み取り面２０７ａと平行または略平行に照射される。【選択図】図３
2014042150.tif 000002
【特許請求の範囲】
【請求項１】
原稿搬送手段により原稿を移動させながら流し読み用ガラスの読み取り面において読み取りユニットにより前記原稿を読み取る流し読み動作が可能な原稿読み取り装置であって、
光源と、
前記流し読み用ガラスの前記読み取り面と略同一平面上に位置する出射部と、
前記光源から発した光を前記出射部に導くことで、前記出射部から出射される光が、前記流し読み用ガラスの前記読み取り面に対して前記読み取り面と略平行な方向から照射されるようにする導光手段とを有することを特徴とする原稿読み取り装置。
【請求項２】
前記導光手段は、前記光源から発した光を平行な光束にして前記出射部から出射させることを特徴とする請求項１記載の原稿読み取り装置。
【請求項３】
前記読み取りユニットは、流し読み動作時に前記読み取り面に搬送された原稿を露光するための露光部を有し、前記光源は前記露光部に設けられることを特徴とする請求項１または２記載の原稿読み取り装置。
【請求項４】
前記読み取り面における異物を検知する検知手段と、前記読み取りユニットを制御する制御手段とを有し、前記制御手段は、前記検知手段により前記読み取り面に異物が存在することが検知されたときに、前記露光部から発する光が前記導光手段に入光するように前記読み取りユニットを移動させることを特徴とする請求項３記載の原稿読み取り装置。
【請求項５】
前記光源は、前記読み取りユニットとは別個に設けられることを特徴とする請求項１または２記載の原稿読み取り装置。
【請求項６】
前記出射部は、前記流し読み用ガラスの前記読み取り面に対して、前記原稿搬送手段による原稿の搬送方向における上流側に配置されることを特徴とする請求項１〜５のいずれか１項に記載の原稿読み取り装置。
【請求項７】
前記出射部に、光透過性の光拡散部材を設けたことを特徴とする請求項１〜６のいずれか１項に記載の原稿読み取り装置。
【発明の詳細な説明】
【技術分野】
【０００１】
本発明は、原稿の流し読みが可能な原稿読み取り装置に関する。
【背景技術】
【０００２】
従来、原稿の流し読みが可能な原稿読み取り装置が知られている。流し読みとは、固定された読み取りユニットに対して原稿を移動させて読み取る方式である。流し読みを行う場合に、リーダ内の読み取りユニットを流し読み位置に固定し、自動原稿搬送装置（以下「ＡＤＦ」という）で流し読み位置に原稿を通紙搬送しながら読み取る構成が一般的である。
【０００３】
このような構成の原稿読み取り装置においては、原稿と読み取りユニットとの間に介在する流し読み用ガラスの上面（読み取り面）にゴミや汚れ等の異物が付着していると、その異物も原稿画像の一部と誤認してしまう。
【０００４】
例えば流し読みを行って原稿のコピーを得るとき、流し読み用ガラスの流し読み位置の部位にゴミまたは汚れが存在すると、図２(ｃ)に示すような出力物となり得る。すなわち、図２(ｂ)に示す元の原稿には存在しなかった縦線画像１２５が付加されてしまう。
【０００５】
誤認するようなゴミの大きさについては、読み取りユニットの読み取り解像度に依存する。６００ｄｐｉで読み取りを行う場合、幅４２μｍ以上のゴミであれば誤認の可能性がある。読み取りユニットの読み取り素子であるＣＣＤラインセンサの感度によっては、より小さなゴミや汚れも画像の一部と認識し、薄い線として表示してしまう可能性もある。例えばＣＣＤラインセンサが２５６諧調の感度を持っていれば、４２μｍの２５５分の１の大きさのゴミでも認識して画像として表示してしまう。
【０００６】
より高い解像度で読み取ることが可能な読み取りユニットであれば、一層小さなゴミや汚れも画像と誤認する可能性がある。またゴミや汚れは色が濃いほど誤認の可能性が高まり、例えば生乾きのボールペンインクによるガラスの汚れや、消しゴムカス、髪の毛などは誤認しやすいものとして知られている。
【０００７】
このような誤認による異常画像の発生を防ぐため、従来の原稿読み取り装置は、ゴミ検知手段を備え、異常画像の発生の軽減または回避を図っている。例えば、原稿を読み取る前に、シェーディング白色板とプラテンローラを読み取り、両者が均一に白色であれば異物が無いと判定し、均一に白色ではない場合は異物があると判定する。
【０００８】
流し読み用ガラスの読み取り位置にゴミや汚れがある場合、原稿画像と誤認して出力物に影響することがないよう、ゴミや汚れを清掃する必要がある。そのため特許文献１の装置では、異物が検知されると清掃を促すように報知する。また、特許文献２、３の装置のように、どの領域にゴミや汚れが存在するのかを、領域の選択的照明で通知する手法や、異物位置の発光素子だけを点灯させて通知する手法も知られている。
【先行技術文献】
【特許文献】
【０００９】
【特許文献１】特開２００１−２０３８４５号公報
【特許文献２】特開２００７−１０４４４４号公報
【特許文献３】特開２００６−１４８６７７号公報
【発明の概要】
【発明が解決しようとする課題】
【００１０】
ユーザやサービスマンが異物を適切に除去するためには、異物を明確に認識する必要がある。しかしながら、前述したように数μｍ以下の小さいゴミや汚れは目視確認が難しい。また、透明な流し読み用ガラスを通してリーダ内部が見えることから、色の濃いゴミや汚れ、例えば生乾きのボールペンインクによる汚れなどの目視確認の際に攪乱されてしまい、ユーザにとっては非常に視認が難しいものである。
【００１１】
また、近年、書類に多く使われるようになっている付箋紙の糊が原稿に極微量残り、その糊が流し読み用ガラスに付着し、そこにゴミが捕獲されることも多い。透明度の高い糊はガラス上では視認しにくく、ゴミを取り除いても糊の付着した部分にゴミが再び捕獲され、原稿にスジが発生してしまい、根本的な解決にならないことも多かった。
【００１２】
本発明は上記従来技術の問題を解決するためになされたものであり、その目的は、流し読み用ガラスの読み取り面の異物を目視で見つけやすくすることができる原稿読み取り装置を提供することにある。
【課題を解決するための手段】
【００１３】
上記目的を達成するために本発明は、原稿搬送手段により原稿を移動させながら流し読み用ガラスの読み取り面において読み取りユニットにより前記原稿を読み取る流し読み動作が可能な原稿読み取り装置であって、光源と、前記流し読み用ガラスの前記読み取り面と略同一平面上に位置する出射部と、前記光源から発した光を前記出射部に導くことで、前記出射部から出射される光が、前記流し読み用ガラスの前記読み取り面に対して前記読み取り面と略平行な方向から照射されるようにする導光手段とを有することを特徴とする。
【発明の効果】
【００１４】
本発明によれば、流し読み用ガラスの読み取り面の異物を目視で見つけやすくすることができる。
【図面の簡単な説明】
【００１５】
【図１】本願発明の第１の実施の形態に係る原稿読み取り装置の構成を示す模式的な断面図、流し読み動作時における読み取りユニット及びその周辺の模式的な断面図である。
【図２】原稿読み取り装置の回路構成を示すブロック図、コピー元原稿、コピー出力原稿の例を示す図である。
【図３】ゴミ表示ポジションに位置する読み取りユニット及びその周辺の模式的な断面図である。
【図４】読み取りユニットがゴミ表示ポジションに位置するときの第１の露光部と導光部材との関係を示す模式図、第１の露光部におけるＬＥＤ及びその周辺の上面図である。
【図５】ゴミ検知及びゴミ表示の処理のフローチャートである。
【図６】読み取りユニットがゴミ表示ポジションに位置するときの導光手段を示す模式図、凹レンズとミラーとの位置関係を示す上面図、固定態様を示す正面図である。
【図７】第３、第４の実施の形態における光源及び導光手段の正面図である。
【図８】変形例の光源及び導光手段の正面図、変形例におけるＬＥＤ及びその周辺の上面図、第１の実施の形態に光拡散部材を適用した場合の導光部材の模式図である。
【図９】第５の実施の形態における読み取りユニット及びその周辺の模式的な断面図である。
【発明を実施するための形態】
【００１６】
以下、本発明の実施の形態を図面を参照して説明する。
【００１７】
（第１の実施の形態）
図１(ａ)は、本願発明の第１の実施の形態に係る原稿読み取り装置の構成を示す模式的な断面図である。この原稿読み取り装置は、原稿搬送手段としての自動原稿搬送装置（以下「ＡＤＦ」という）１０１及びリーダ１０２を備える。リーダ１０２には、ＡＤＦ１０１の開閉状態を検知するＡＤＦ開閉検知センサ２１１が設けられている。リーダ１０２にはまた、原稿を読み取るための読み取りユニット２０１が備えられる。
【００１８】
図１(ｂ)は、流し読み動作時における読み取りユニット２０１及びその周辺の模式的な断面図である。図１(ｂ)では、読み取りユニット２０１が流し読み位置１０８に停止している。ＡＤＦ１０１には、レジセンサ１０９、レジローラ１１３が設けられ、さらに流し読み位置１０８付近にプラテンローラ１０７が配置される。矢印１１０は搬送される原稿の動きを表す。
【００１９】
リーダ１０２は、リーダ外装部２０５、流し読み用ガラス２０７、シェーディング用の白色基準板２０４、ブック読み用の原稿台ガラス１２９及び導光部材２０８等を備える。導光部材２０８についての詳細は図３で後述する。
【００２０】
読み取りユニット２０１は、第１の露光部２０２、第２の露光部２０３、画像を読み取るためのＣＣＤラインセンサ１０５、複数でなる光路反射ミラー１０６を備える。流し読み位置１０８で読んだ原稿の反射光は光路１１１を辿ってＣＣＤラインセンサ１０５に入光する。
【００２１】
図２(ａ)は、原稿読み取り装置の回路構成を示すブロック図である。原稿読み取り装置は、露光ユニットドライバ回路２１７、リーダドライバ回路２１８を備える。露光ユニットドライバ回路２１７に、露光用の光源であるアレイ状のＬＥＤ２２２が接続される。リーダドライバ回路２１８に、ＡＤＦ開閉検知センサ２１１（図１(ａ)）、ホームポジションセンサ２２０のほか、読み取りユニット２０１を駆動するためのモータ２２１が接続される。
【００２２】
ＡＤＦ１０１の原稿給紙部に原稿がセットされると、リーダ１０２内の読み取りユニット２０１は、シェーディング用の白色基準板２０４に対向する位置へ移動し、イニシャライズ動作を行った後、流し読み位置１０８に移動して原稿を読み取る準備をする。
【００２３】
読み取りユニット２０１のシェーディング位置、及び流し読み位置１０８への移動は、ホームポジションセンサ２２０の位置を基準として行われる。そのため、移動距離の制御が容易なように、モータ２２１には一般的なパルスモータが採用される。
【００２４】
装置本体の不図示のスタートボタンが押されると、ＡＤＦ１０１は原稿の給紙搬送を開始する。原稿は搬送方向における流し読み位置１０８の直前に配置されたレジローラ１１３によって斜行を補正され、流し読み位置１０８へと送られる。また、レジ部の直後に配置されたレジセンサ１０９が、原稿がレジ部を通過したことをリーダ１０２へと通知する。
【００２５】
読み取りユニット２０１は、原稿がレジローラ１１３を通過したことを検知すると、第１の露光部２０２を点灯し、原稿先端より読み取りを開始する。原稿先端の通過は、レジセンサ１０９により検知される。
【００２６】
原稿はプラテンローラ１０７と流し読み用ガラス２０７との間の流し読み位置１０８を矢印１１０に示す経路で一定の速度で搬送される。そして、光路反射ミラー１０６により読み取られた画像の光路が複数回折り返されて、光路１１１を辿り、読み取りユニット２０１内のＣＣＤラインセンサ１０５によって連続的に読み取られる。
【００２７】
プラテンローラ１０７の表面には、一般的な白色あるいは白色基準板２０４と同等の色となる白色材料が施される。原稿の後端がレジローラ１１３後のレジセンサ１０９を通過し、流し読み位置１０８を通過すると、その原稿の読み取りが終了する。ＡＤＦ１０１の給紙部に原稿が複数枚積載されている場合は、以上の動作を連続的に行い、原稿の読み取りを行う。
【００２８】
ここで、流し読み用ガラス２０７の上面のうち、流し読み位置１０８に相当する領域（読み取り面２０７ａ）にゴミや汚れ等の異物が付着していると、その異物も原稿画像の一部と誤認されてしまう。
【００２９】
例えば図２(ｂ)に示すコピー元原稿１２３をコピーする場合、読み取り面２０７ａに異物が存在すると、出力物は、図２(ｃ)に示すような、異常画像である縦線画像１２５が付加されたコピー出力原稿１２４となってしまう。
【００３０】
そこで本実施の形態では、異物の視認性を高めるべく、上流側の側方から読み取り面２０７ａに光を照射するゴミ表示を行う。詳細は以降に説明するが、ゴミ表示を行うための「ゴミ表示ポジション」に読み取りユニット２０１を移動させて、流し読み用ガラス２０７の読み取り面２０７ａに光を照射する。その際、導光部材２０８により、第１の露光部２０２の光源から発した光が読み取り面２０７ａに対して読み取り面２０７ａと略平行な方向から照射されるようにする。
【００３１】
露光用導光部材２２３及び導光部材２０８が、光源からの光を読み取り面２０７ａに照射するよう導く「導光手段」を構成する。
【００３２】
図３は、ゴミ表示ポジションに位置する読み取りユニット２０１及びその周辺の模式的な断面図である。図３では、ＡＤＦ１０１の構成要素の図示が省略されている。
【００３３】
流し読み動作時における原稿の搬送方向は図３の右方である。従って、図３の左方を原稿の搬送方向における上流側と呼称する。導光部材２０８は、図３の正面視でＬ字型に構成され、リーダ外装部２０５と流し読み用ガラス２０７との隙間において上下に貫通して配設される。
【００３４】
図４(ａ)は、読み取りユニット２０１がゴミ表示ポジションに位置するときの第１の露光部２０２と導光部材２０８との関係を示す模式図である。第１の露光部２０２は、前述したＬＥＤ２２２（図２(ａ)）、露光用導光部材２２３及び反射板２１５を備える。
【００３５】
図４(ｂ)は、第１の露光部２０２におけるＬＥＤ２２２及びその周辺の上面図である。ＬＥＤ２２２としては、白色光を発光するＬＥＤが採用され、図３の奥行方向（図４(ｂ)の左右方向）に複数個が並べられる。露光用導光部材２２３には、透明度、屈折率、及び対候性の高い素材が用いられ、例えば、ポリメタクリル酸メチル樹脂やポリメタクリル酸エステル樹脂などの透明樹脂素材が用いられる。
【００３６】
露光用導光部材２２３の入光部２２３ａは凸レンズ状に形成される。出光部２２３ｂは、球面ないしは略球面状の凸レンズ状に形成される。従って、ＬＥＤ２２２から発する拡散光は、入光部２２３ａの凸レンズ形状で平行光となって露光用導光部材２２３内を通過し、反射板２１５で反射して出光部２２３ｂへと向かう。そして、出光部２２３ｂの凸レンズ形状により、平行光が光束２１４となって焦点に向かって集光するよう発せられる。光束２１４は導光部材２０８で捕集される。
【００３７】
図３、図４(ａ)の奥行方向において、導光部材２０８は、流し読み用ガラス２０７と同程度の長さを有している。導光部材２０８は、透明な樹脂またはガラス等の材質で作られ、１．３前後またはそれ以上の屈折率を有する適当な素材が用いられる。
【００３８】
図４(ａ)に示すように、導光部材２０８は、露光用導光部材２２３の出光部２２３ｂに対向する下方を向いた入光部２１２を有する。また、流し読み用ガラス２０７の上側に流し読み用ガラス２０７と平行に、原稿の搬送方向における下流側（図４(ａ)の右方）に向かって延設される部分を有し、当該延設される部分の先端が出射部２１３となっている。出射部２１３は、流し読み用ガラス２０７の読み取り面２０７ａと略同一平面上に位置し、原稿の搬送方向における下流側を向いている。
【００３９】
導光部材２０８の近傍には、光束の漏れを防ぐため、フィルム状または板金状の遮光部材２０６が設置される。すなわち、流し読み用ガラス２０７の上流側の端部を上下から覆うと共に、導光部材２０８を上方から覆うように、遮光部材２０６が配設される（図３、図４(ａ)参照）。遮光部材２０６は、第１の露光部２０２からの不要な反射や導光部材２０８からの光束の漏れを遮断する。
【００４０】
導光部材２０８の入光部２１２は凹形状に形成され、集光される光束２１４は再び平行光に戻される。この凹形状の適切な曲率は、露光用導光部材２２３の出光部２２３ｂの凸レンズ形状（焦点距離）と使用する素材の屈折率とに依存する。
【００４１】
導光部材２０８は、入光部２１２から入光した光を出射部２１３に導く。すなわち、入光部２１２から入光した光束はプリズム部２２５で反射し、原稿の搬送方向における下流側に向かい、出射部２１３から、流し読み用ガラス２０７の読み取り面２０７ａへ光が照射される。出射部２１３から出射される光束は読み取り面２０７ａに平行または略平行な光線である。
【００４２】
読み取り面２０７ａ上に発せられた平行光線により、ゴミや汚れがある場合は、一方向からの光を反射した輝点となったり、もしくは読み取り面２０７ａ上に影を落としたりする。あるいは読み取り面２０７ａの光の反射具合に変化が生ずる。それらにより、ゴミや汚れの存在が目視で容易に確認可能となる。
【００４３】
そのゴミや汚れを清掃により取り除くと、読み取り面２０７ａ上から輝点や影が消え、また、光の反射具合が他の部分と均一となるため、清掃の効果が容易に判別可能となる。
【００４４】
ゴミ表示ポジションでのＬＥＤ２２２の発光の際には、原稿を読み取るときと同じ光量を発する必要は無い。例えば、ＡＡ（単３形）やＡＡＡ（単４形）の電池を用いる一般的な電球型ペンライトの明るさである１００カンデラ程度から、ユーザや作業者が眩しさを感じない程度の光量でよい。
【００４５】
ＬＥＤ２２２の光量は一般に電流量で制御するが、本実施の形態では露光ユニットドライバ回路２１７が制御する。ただし、リーダドライバ回路２１８が制御するようにしてもよい。
【００４６】
ところで、第２の露光部２０３の構成は、図３の正面視で第１の露光部２０２と左右対称であるが、構成は同一である。なお、読み取りユニット２０１に露光部が複数存在する場合、いずれか１つをゴミ表示用の光源として利用し、利用しない露光部は消灯するのがよい。本実施の形態では、ゴミ表示用の光源として第１の露光部２０２を用いたが、第２の露光部２０３を用いてもよい。その場合は、第２の露光部２０３の形状や位置に合わせて導光部材２０８を設計・配設すればよい。
【００４７】
ゴミ表示は、読み取りユニット２０１を検知手段として用いたゴミ検知により読み取り面２０７ａにおける異物が検知されたときに行う。ゴミ検知の手法は問わないが、上述した特許文献１、２、３に開示されるような公知の手法を用いることができる。
【００４８】
読み取り面２０７ａのゴミ検知の手法の一例を説明する。原稿を読み取る前に、読み取りユニット２０１が白色基準板２０４の下に移動して補正を行い、その後、流し読み位置１０８の直下に移動する。読み取りユニット２０１の移動は、モータ２２１を使用しホームポジションセンサ２２０を基準に行われ、露光ユニットドライバ回路２１７が制御手段となって動作を制御する。
【００４９】
読み取りユニット２０１は、流し読み位置１０８に移動後、プラテンローラ１０７を読み取る。プラテンローラ１０７が白色基準板２０４と同様に均一に白色であれば、読み取り面２０７ａに異物（ゴミ）は無いと判断する。均一に白色ではない場合、読み取り面２０７ａに異物があると判断し、清掃を促すアナウンスをする。なお、プラテンローラ１０７自身が汚れている場合もあるため、プラテンローラ１０７を回転させながら読むことで、読み取り面２０７ａの異物とプラテンローラ１０７の汚れとを区別することができる。
【００５０】
次に、読み取り面２０７ａにおける異物を検知するゴミ検知とゴミ表示の動作を、フローチャート用いて説明する。図５は、ゴミ検知及びゴミ表示の処理のフローチャートである。本処理は、例えば、ＡＤＦ１０１の原稿給紙部に原稿がセットされたとき、あるいはコピーまたはスキャンの指示があったときに開始される。
【００５１】
まず、露光ユニットドライバ回路２１７は、ゴミ検知を行い、流し読み用ガラス２０７にゴミ（異物）が検知されて清掃が必要になったか否かを判別する(ステップＳ１０１)。露光ユニットドライバ回路２１７は、ゴミが検知された場合は、ステップＳ１０２に処理を進める一方、ゴミが検知されない場合は、ゴミ表示の必要がないので、ステップＳ１０８に処理を進める。
【００５２】
ステップＳ１０２では、露光ユニットドライバ回路２１７は、不図示の表示装置に、読み取り面２０７ａの清掃を促すメッセージを表示する。すると通常、清掃を促すメッセージを見たユーザがＡＤＦ１０１を開くので、露光ユニットドライバ回路２１７は、ＡＤＦ開閉検知センサ２１１（図１(ａ)）の検知結果から、ＡＤＦ１０１が開かれたか否かを判別する(ステップＳ１０３)。
【００５３】
露光ユニットドライバ回路２１７は、ＡＤＦ１０１が開かれたら処理をステップＳ１０４に進め、読み取りユニット２０１をゴミ表示ポジションに移動させるよう制御する。すなわち、露光ユニットドライバ回路２１７は、ホームポジションセンサ２２０を基準にしてモータ２２１を駆動し、ゴミ表示ポジションへと読み取りユニット２０１を移動させる。
【００５４】
次に、露光ユニットドライバ回路２１７は、ゴミ表示ポジションに移動した読み取りユニット２０１の第１の露光部２０２内の光源であるＬＥＤ２２２を点灯させるよう制御する(ステップＳ１０５)。これにより、ＬＥＤ２２２から発した光が、導光部材２０８を介して出射部２１３から出射され、流し読み用ガラス２０７の読み取り面２０７ａへ略平行に照射され、異物の目視が容易になる。
【００５５】
ユーザは通常、異物を目視で発見するとその部分を清掃し、清掃が終了すればＡＤＦ１０１を閉じる。従って、露光ユニットドライバ回路２１７は、ＡＤＦ開閉検知センサ２１１（図１(ａ)）の検知結果から、ＡＤＦ１０１が閉じられたか否かを判別する(ステップＳ１０６)。
【００５６】
露光ユニットドライバ回路２１７は、ＡＤＦ１０１が閉じられたら処理をステップＳ１０７に進め、再びゴミ検知を行い、流し読み用ガラス２０７にゴミ（異物）が検知されて清掃が必要になったか否かを判別する。その判別の結果、ゴミが再び検知された場合は、清掃が不十分であるので、露光ユニットドライバ回路２１７はステップＳ１０２に処理を戻す。一方、ゴミが検知されなかった場合は、ゴミ表示の必要がなくなったので、露光ユニットドライバ回路２１７はステップＳ１０８に処理を進める。その際、ＬＥＤ２２２は消灯させる。
【００５７】
ステップＳ１０８では、露光ユニットドライバ回路２１７は、読み取りユニット２０１をホームポジションに移動させて待機させるよう制御する。その後、本処理が終了する。
【００５８】
ところで、本実施の形態では、読み取りユニット２０１はホームポジションとゴミ表示ポジションとを平行移動する構成であった。しかし、平行移動だけでは、露光用導光部材２２３の出光部２２３ｂから出射される光束２１４が入光部２１２から導光部材２０８内に適切に入光しない構成であった場合は、読み取りユニット２０１は平行移動以外の変位が可能な構成としてもよい。
【００５９】
例えば、読み取りユニット２０１自身または第１の露光部２０２を、回転変位が可能（角度可変）なように構成する。そして、読み取りユニット２０１がゴミ表示ポジションへ平行移動すると共に、より効率良く導光部材２０８へ入光するよう、読み取りユニット２０１自身または第１の露光部２０２が適切な角度へと回転変位する。読み取りユニット２０１自身が変位する構成の場合は、読み取りユニット２０１を保持する不図示の保持部にそのための機構を設ければよい。
【００６０】
本実施の形態によれば、流し読み用ガラス２０７の読み取り面２０７ａと略平行な方向から光が照射されるので、読み取り面２０７ａのゴミや汚れ等の異物を目視で見つけやすくすることができる。特に、照射される光は平行な光束であるので異物を発見しやすい。さらに、導光部材２０８は流し読み用ガラス２０７の上流側に配置されるので、ブック読み用の原稿台ガラス１２９等と干渉することもなく、導光部材２０８の配置の制約が小さい。
【００６１】
また、ゴミ表示用の光源として、流し読みに用いる既存の光源である、読み取りユニット２０１の第１の露光部２０２内のＬＥＤ２２２を用いるので、ゴミ表示用の光源を専用に設けなくて済み、部品点数が抑制される。
【００６２】
また、ゴミ表示は、異物が検知されたときに実行されるので、清掃が必要な場合に目視確認しやすい状態にすることができる。
【００６３】
（第２の実施の形態）
第１の実施の形態では、露光用導光部材２２３及び導光部材２０８が、導光手段を構成した。本発明の第２の実施の形態では、導光部材２０８に代えて、凹レンズとミラーとを設ける。
【００６４】
図６(ａ)は、読み取りユニット２０１がゴミ表示ポジションに位置するときの導光手段を示す模式図である。露光用導光部材２２３、凹レンズ３０６及び光束反射用のミラー３０７が、導光手段を構成する。その他の構成は第１の実施の形態と同様である。
【００６５】
凹レンズ３０６は、リーダ外装部２０５と流し読み用ガラス２０７との隙間において流し読み用ガラス２０７よりも下に配置される。ミラー３０７は、凹レンズ３０６の上方であって、流し読み用ガラス２０７の読み取り面２０７ａと略同一平面上に配置される。凹レンズ３０６及びミラー３０７はいずれも、流し読み用ガラス２０７と同程度の奥行長さを持つ。
【００６６】
第１の実施の形態ではプリズムを用いて導光、屈折、反射を１つの部材（導光部材２０８）で行っていたが、第２の実施の形態では、導光、屈折には凹レンズ３０６を用い、反射にはミラー３０７を用いて、役割を分担させる。凹レンズ３０６は、入光部２１２（図４(ａ)）と同様の形状の入光部３０６ａを有する。
【００６７】
図６(ｂ)、(ｃ)は、凹レンズ３０６とミラー３０７との位置関係を示す上面図、固定態様を示す正面図である。図６(ｂ)、(ｃ)に示すように、凹レンズ３０６とミラー３０７とは板金部材３１０により固定される。ミラー３０７は板ばね３１１によって保持固定され、凹レンズ３０６は、板ばね３１２によって保持固定される。
【００６８】
第１の実施の形態と同様に、ゴミ表示ポジションに移動した読み取りユニット２０１の第１の露光部２０２内のＬＥＤ２２２から発する拡散光は、露光用導光部材２２３を介して出光部２２３ｂから出射される。図６(ａ)に示すように、第２の実施の形態では、出光部２２３ｂから出射した光束２１４は入光部３０６ａから凹レンズ３０６内に入光して平行光となり、ミラー３０７で反射する。ミラー３０７で反射した平行光線は、出射部３１３から、流し読み用ガラス２０７の読み取り面２０７ａへ、読み取り面２０７ａに平行または略平行に照射される。
【００６９】
本実施の形態によれば、読み取り面２０７ａの異物を目視で見つけやすくすることに関し、第１の実施の形態と同様の効果を奏することができる。
【００７０】
また、光束を屈折させて平行光線とする部材（凹レンズ３０６）と、反射させる部材（ミラー３０７）とを分割して設けることにより、それぞれにおいて微調整が可能となる。従って、光束をより効率的な照射角度で読み取り面２０７ａへと当てるような調節が可能となり、温度変化や経年変化による狂いに対しても調整が容易となる。特に、ミラー３０７及び凹レンズ３０６はそれぞれ板ばね３１１、３１２で保持されているため、調整時にミラー３０７及び凹レンズ３０６に適切な厚さの部材を挟むことで、調整が容易に行える。
【００７１】
（第３の実施の形態）
第１、第２の実施の形態では、ゴミ表示用の光源として読み取りユニット２０１内のＬＥＤ２２２を用いた。これに対し本発明の第３の実施の形態では、ゴミ表示に読み取りユニット２０１を用いることなく、専用の光源を読み取りユニット２０１とは別個に設ける。
【００７２】
図７(ａ)は、第３の実施の形態における光源及び導光手段の正面図である。本実施の形態では、光源としてアレイ状のＬＥＤ４０７を設け、導光手段として導光部材４０５を設ける。遮光部材２０６の図示は省略されている。その他の構成は第１の実施の形態と同様である。
【００７３】
ＬＥＤ４０７は、リーダ外装部２０５と流し読み用ガラス２０７との隙間において流し読み用ガラス２０７よりも下に配置される。導光部材４０５は正面視でＬ字状に構成され同様の位置に配置される。ＬＥＤ４０７は、ＬＥＤ２２２（図４(ｂ)）と同様に、奥行方向に複数個が並べられる。導光部材４０５は、流し読み用ガラス２０７と同程度の奥行長さを持つ。
【００７４】
導光部材４０５は、ＬＥＤ２２２に対向する球面ないしは略球面状の凸レンズ状の入光部４０５ａを有する。ＬＥＤ４０７に採用される光源がＬＥＤ２２２に採用されるものと同じであれば、入光部４０５ａには、露光用導光部材２２３の入光部２２３ａ（図４(ｂ)）と同一の形状を採用可能である。導光部材４０５の出射部４０５ｂは、流し読み用ガラス２０７の読み取り面２０７ａと略同一平面上に位置する。
【００７５】
本実施の形態では、図５のステップＳ１０５に相当するゴミ表示を行う際に、読み取りユニット２０１を移動させる代わりに、ＬＥＤ４０７を点灯させるよう露光ユニットドライバ回路２１７が制御する。
【００７６】
本実施の形態によれば、読み取り面２０７ａの異物を目視で見つけやすくすることに関し、第１の実施の形態と同様の効果を奏することができる。
【００７７】
また、ゴミ表示用に専用の光源を設けたので、読み取りユニット２０１を移動させる必要がなく、構成や制御が簡単になる。さらに、導光部材４０５の形状を簡略化することができ、組み付けの容易化も期待できる。
【００７８】
（第４の実施の形態）
第３の実施の形態では、導光部材４０５内においてプリズムでの反射を用いた。これに対し本発明の第４の実施の形態では、ＬＥＤ４０７の配置位置を流し読み用ガラス２０７より上の位置とする。
【００７９】
図７(ｂ)は、第４の実施の形態における光源及び導光手段の正面図である。本実施の形態では、光源としてＬＥＤ４０７を設け、導光手段として導光部材５０５を設ける。遮光部材２０６は導光部材５０５を覆う。その他の構成は第３の実施の形態と同様である。
【００８０】
導光部材５０５の入光部５０５ａは、ＬＥＤ４０７に対向し、入光部４０５ａと同様の凸レンズ状となっている。導光部材５０５の出射部５０５ｂは、ＬＥＤ４０７、入光部５０５ａと共に、流し読み用ガラス２０７の読み取り面２０７ａと略同一平面上において一直線上に位置する。
【００８１】
本実施の形態によれば、第３の実施の形態と同様の効果を奏するだけでなく、光源及び導光手段の配置や構成が第３の実施の形態よりも簡単となる。
【００８２】
（第３、第４の実施の変形例）
なお、第３、第４の実施の形態においては、導光手段に入光した光をほぼ平行な光束にして出射部から出射させるために、凸レンズ状の入光部を設けた。しかしこれに限るものでなく、図８(ａ)、(ｂ)に変形例を示すように、光を出射部の方向に導くために反射部材を用いた構成を採用してもよい。
【００８３】
図８(ａ)は、変形例の光源及び導光手段の正面図である。本変形例では、光源の一例としてＬＥＤ４０７を設け、導光手段として、導光部材７０２、及び光束反射用と遮光を兼ねた反射部材７０４を設ける。図８(ａ)に示す例は、第４の実施の形態（図７(ｂ)）を変形したものに相当する。反射部材７０４は、流し読み用ガラス２０７と同程度の奥行長さを持ち、流し読み用ガラス２０７の上流側の端部を上下から覆う。
【００８４】
図８(ｂ)は、ＬＥＤ４０７及びその周辺の上面図である。導光部材７０２は、ＬＥＤ４０７に対向する入光部７０２ａを有する。入光部７０２ａは蒲鉾型に形成され、上面視では凸球面状であるが、図８(ａ)の正面視だと直線的である。ＬＥＤ４０７の出射部７０２ｂは正面視で凹レンズ形状となっている（図８(ａ)）。
【００８５】
ＬＥＤ４０７から発した光は放射状に広がり、入光部７０２ａから導光部材７０２内に入る。導光部材７０２内に入光した光束７０３は、反射部材７０４で反射を繰り返し、出射部７０２ｂへ向かい、出射部７０２ｂから流し読み用ガラス２０７の読み取り面２０７ａ上へと放射される。出射部７０２ｂは凹レンズ形状をしているため、放射状に広がった光束７０３は出射時に屈折し、ほぼ平行な光束となる。
【００８６】
第４の実施の形態では、導光部材５０５の入光部５０５ａは球面または略球面状の凸レンズ形状とする必要があったが、図８(ａ)、(ｂ)に示す変形例では入光部７０２ａが蒲鉾型でよいので、加工が容易となる利点がある。
【００８７】
なお、この変形例を第３の実施の形態（図７(ａ)）に適用する場合は、導光部材４０５の入光部４０５ａを入光部７０２ａと同じ形状とすると共に、導光部材４０５の出射部４０５ｂを出射部７０２ｂと同じ形状とすればよい。
【００８８】
（第１〜第４の実施の形態の変形例）
ところで、上記各実施の形態において、図８(ｃ)に例示するように、出射部に、光を拡散させる光透過性の光拡散部材を設けてもよい。
【００８９】
図８(ｃ)は、第１の実施の形態に光拡散部材を適用した場合の導光部材２０８の模式図である。導光部材２０８の出射部２１３に光拡散部材６０４を設け、出射部２１３から出射される光束が光拡散部材６０４で拡散するように構成する。光束は、光拡散部材６０４で拡散光となって流し読み用ガラス２０７の読み取り面２０７ａ上へと放射される。
【００９０】
光拡散部材６０４は、透明な部材のうち下流側の端面を擦りガラス状とするか、もしくは、部材自体を半透明に構成して内部で光を拡散させるような材質で製造する。
【００９１】
光拡散部材６０４を設けることで、光束の平行性は失われるが、読み取り面２０７ａでの異物の視認性は高く維持できる。また、拡散光であるため、ユーザが光を直視しても眩しくないという利点がある。第２〜第４の実施の形態にも光拡散部材６０４を適用可能である。
【００９２】
（第５の実施の形態）
本発明の第５の実施の形態では、第１の実施の形態とは別の形態・構成の読み取りユニットを採用する。
【００９３】
図９は、第５の実施の形態における読み取りユニット及びその周辺の模式的な断面図である。
【００９４】
本実施の形態では、第１の実施の形態に対し、読み取りユニット２０１に代えて読み取りユニット８０１を備える。読み取りユニット８０１内の露光部８０２が光源となる。また導光手段として導光ミラー８０４及び導光部材８０３を備える。
【００９５】
露光部８０２からの光束は拡散方向に広がり、露光部８０２より上方に焦点を持たない。そのため、導光部材８０３の入光部８０３ａは、図９の正面視で凸形状としている。
【００９６】
また、読み取りユニット８０１の露光部８０２は、光束を集光せずに出射する形式である。また拡散光を効率良く用いるために読み取りユニット８０１が流し読み用ガラス２０７に近接しているので、導光部材８０３を流し読み用ガラス２０７の下面より下方に延長できない。そこで導光ミラー８０４を用いて導光部材８０３へ光束を誘導する。導光ミラー８０４は、照射に用いる露光部８０２の位置や照射方向により、任意の面に装着する。
【００９７】
露光部８０２から発した導光部材８０３の方向への光束は、その一部が導光ミラー８０４で反射して入光部８０３ａから導光部材８０３に入光し、その他の一部は直接に入光部８０３ａから導光部材８０３に入光する。そして、導光部材８０３の出射部８０３ｂから、平行光線が流し読み用ガラス２０７の読み取り面２０７ａへ照射される。
【００９８】
本実施の形態によれば、読み取り面２０７ａの異物を目視で見つけやすくすることに関し、第１の実施の形態と同様の効果を奏することができる。
【００９９】
また、導光ミラー８０４により、露光部８０２からの光束をより多く利用することが可能であり、導光部材８０３の下方向への飛び出し量も小さく済むため、あらゆる露光ユニットに適用可能な構成であるという利点がある。
【０１００】
上記各実施の形態において、出射部から読み取り面２０７ａに対して平行な光束が射されるためには、光出射部の位置は、上下方向において読み取り面２０７ａに近いのがよいが、略同一平面上であればよい。また、出射部から読み取り面２０７ａに対して照射される光の照射角度は、拡散光である場合はあまり問わないが、直線的な光束である場合でも、読み取り面２０７ａに対して厳密な平行でなくてもよく、所定の角度を持たせてもよい。すなわち、読み取り面２０７ａで一定の角度で反射するよう調整することで、ゴミや汚れのある部分では光の反射量が変わるため、ゴミや汚れの発見しやすさや清掃の効果確認のしやすさは確保できる。
【０１０１】
また、読み取り面２０７ａに平行な方向における出射部の位置は、原稿の搬送方向における上流側としたが、異物の目視確認を容易にする観点に限ればこれに限定されるものではない。例えば、読み取り面２０７ａに対し、下流側でもよいし、装置の幅方向（奥行方向）の端部に位置させてもよい。
【０１０２】
なお、ゴミ表示のための照射動作は、ゴミを検知したときに限られない。例えば所定のスイッチを設け、ユーザによる該スイッチの操作により任意のタイミングで実行されるようにしてもよい。
【０１０３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【０１０４】
１０１  自動原稿搬送装置（ＡＤＦ）
２０１、８０１  読み取りユニット
２０２、８０２  露光部
２０７  流し読み用ガラス
２０７ａ  読み取り面
２０８、４０５、５０５、７０２、８０３  導光部材
２１３、３１３、４０５ｂ、５０５ｂ、７０２ｂ、８０３ｂ  出射部
２１７  露光ユニットドライバ回路
２２２、４０７  ＬＥＤ
２２３  露光用導光部材
【図１】
2014042150.tif 000003
【図２】
2014042150.tif 000004
【図３】
2014042150.tif 000005
【図４】
2014042150.tif 000006
【図５】
2014042150.tif 000007
【図６】
2014042150.tif 000008
【図７】
2014042150.tif 000009
【図８】
2014042150.tif 000010
【図９】
2014042150.tif 000011